(57)【要約】  表示セル（２０）と、前記表示セル（２０）の周囲に設けられた周囲部材（３０）と、前記表示セル（２０）および前記周囲部材（３０）の前方側に設けられたカバーフィルム（１０）と、前記表示セル（２０）および前記周囲部材（３０）の後方側に、前記表示セル（２０）と前記周囲部材（３０）との境目に対向して設けられた中継部材（４０）と、前記表示セル（２０）および前記周囲部材（３０）と前記中継部材（４０）との間に設けられた接着層（５０）とを備えた表示装置。
2015098565.tif 000002
【特許請求の範囲】
【請求項１】
表示セルと、  前記表示セルの周囲に設けられた周囲部材と、  前記表示セルおよび前記周囲部材の前方側に設けられたカバーフィルムと、  前記表示セルおよび前記周囲部材の後方側に、前記表示セルと前記周囲部材との境目に対向して設けられた中継部材と、  前記表示セルおよび前記周囲部材と前記中継部材との間に設けられた接着層と  を備えた表示装置。
【請求項２】
前記中継部材は、ガラス、カーボンおよびグラスファイバーからなる群のうちの少なくとも１種により構成されている  請求項１記載の表示装置。
【請求項３】
前記接着層は、弾性材料により構成されている  請求項１記載の表示装置。
【請求項４】
前記中継部材は、前記表示セルと前記周囲部材との膨張・収縮の差を吸収可能な構造を有する  請求項１記載の表示装置。
【請求項５】
前記接着層は、前記表示セルの側面と、前記周囲部材の側面と、前記カバーフィルムとで三方を囲まれた凹部を埋め込んでいる  請求項１記載の表示装置。
【請求項６】
前記カバーフィルムは、前記表示セルおよび前記周囲部材に貼り合わせられた前面貼付部と、前記前面貼付部の外側の延長部とを有し、前記延長部は、前記周囲部材に沿って前記表示セルの後方側に延在している  請求項１記載の表示装置。
【請求項７】
前記表示セルおよび前記周囲部材の後方側に設けられた後部筐体と、  前記延長部を前記後部筐体に対して相対移動可能に連結する可動結合部と  を備えた請求項６記載の表示装置。
【請求項８】
前記可動結合部は、  前記延長部および前記後部筐体を連結するねじと、  前記ねじを、前記延長部を前記表示セルの後方側に引張る方向に付勢するばねと  を有する請求項７記載の表示装置。
【請求項９】
前記表示セルは、後方に向かって凸になるように円弧状に湾曲している  請求項１記載の表示装置。
【発明の詳細な説明】
【技術分野】
【０００１】  本開示は、テレビジョン受像機、モニター、携帯機器などの表示装置に関する。
【背景技術】
【０００２】  テレビジョン装置、モニターなどの表示装置では、小型化・軽量化を進めるため、表示セルの前面にカバーフィルムを貼り付け、このカバーフィルムにより表示セルを支持することが提案されている（例えば、特許文献１参照。）。表示セルの周囲には枠状の周囲部材（保護部材）が設けられ、表示セルの後方にはバックシャーシが配置されている。カバーフィルムは、表示セルの前面から周囲部材を経由してバックシャーシの後面まで貼り付けられている。
【先行技術文献】
【特許文献】
【０００３】
【特許文献１】特開２０１３−１９０５７６号公報
【発明の概要】
【０００４】  このようなカバーフィルムを用いた場合には、表示セルと周囲部材との境目で段差などの異形が生じるおそれがあり、未だ改善の余地があった。
【０００５】  従って、表示セルの前面にカバーフィルムを貼り付けた場合に、表示セルと周囲部材との境目に生じる段差などの異形を低減することが可能な表示装置を提供することが望ましい。
【０００６】  本開示の一実施の形態による表示装置は、以下の（Ａ）〜（Ｅ）の構成要素を備えたものである。（Ａ）表示セル（Ｂ）表示セルの周囲に設けられた周囲部材（Ｃ）表示セルおよび周囲部材の前方側に設けられたカバーフィルム（Ｄ）表示セルの後方側に、表示セルと周囲部材との境目に対向して設けられた中継部材（Ｅ）中継部材と表示セルおよび周囲部材との間に設けられた接着層
【０００７】  本開示の一実施の形態の表示装置では、表示セルの後方に、表示セルと周囲部材との境目に対向して中継部材が設けられ、この中継部材と表示セルおよび周囲部材との間に接着層が設けられている。よって、表示セルと周囲部材との境目においてカバーフィルムが中継部材および接着層により裏打ち・補強され、段差などの異形が低減される。
【０００８】  本開示の一実施の形態の表示装置によれば、表示セルの後方に、表示セルとカバーフィルムとの境目に対向して中継部材を設け、この中継部材と表示セルおよび周囲部材との間に接着層を設けるようにしている。よって、表示セルと周囲部材との境目に生じる段差などの異形を低減することが可能となる。
【０００９】  なお、ここに記載された効果は必ずしも限定されるものではなく、本開示中に記載されたいずれの効果であってもよい。
【図面の簡単な説明】
【００１０】
【図１】本開示の一実施の形態に係る表示装置を前方から見た外観を表す斜視図である。
【図２】図１に示したカバーフィルムの一部を剥がして内部構成を表す斜視図である。
【図３】図２に示した表示セルおよびカバーフィルムの積層構成を表す断面図である。
【図４】図２に示した表示セルおよび周囲部材の配置例を表す斜視図である。
【図５】図１に示した表示パネルのＶ−Ｖ線における断面図である。
【図６】図１に示したカバーフィルムの構成を表す斜視図である。
【図７】図１に示した表示パネルのＶＩＩ−ＶＩＩ線における断面図である。
【図８】図１に示した表示パネルのＶＩＩＩ−ＶＩＩＩ線における断面図である。
【図９】変形例１に係る表示装置における表示パネルのＶ−Ｖ線における断面図である。
【図１０】変形例２に係る表示装置における表示パネルのＶ−Ｖ線における断面図である。
【図１１】変形例３に係る表示装置を前方から見た外観を表す斜視図である。
【図１２】図１１に示したカバーフィルムの構成を表す斜視図である。
【図１３】図１２に示したカバーフィルムの貼り付け状態を表す斜視図である。
【図１４】変形例４に係る表示装置を前方から見た外観を表す斜視図である。
【図１５】変形例５に係るカバーフィルムの構成を表す斜視図である。
【図１６】図１５に示したカバーフィルムの貼り付け方法を工程順に表す斜視図である。
【図１７】図１６に続く工程を表す斜視図である。
【図１８】図１７に続く工程を表す斜視図である。
【図１９】変形例６に係る表示装置を前方から見た外観を表す斜視図である。
【図２０】図１９に示した表示装置における表示状態の一例を模式的に表す正面図である。
【図２１】適用例１に係る表示装置の外観を表す斜視図である。
【図２２】図２１に示したカバーフィルムの構成を表す斜視図である。
【図２３】適用例２に係る表示装置の外観を表す斜視図である。
【発明を実施するための形態】
【００１１】  以下、本開示の実施の形態について図面を参照して詳細に説明する。なお、説明は以下の順序で行う。１．実施の形態（表示セルの左右辺をカバーフィルムの延長部で被覆する例）２．変形例１（周囲部材の側面を、角に丸みをつけた矩形の三辺をなす形状とする例）３．変形例２（周囲部材の側面を、三角形の二辺をなす形状とする例）４．変形例３（表示セルの左右辺および上辺をカバーフィルムの延長部で被覆する例）５．変形例４（表示セルの上辺をカバーフィルムの延長部で被覆する例）６．変形例５（変形例３において周囲部材の角をカバーフィルムの目隠し部で被覆する例）７．変形例６（表示セルが後方に向かって凸になるように円弧状に湾曲している例）８．適用例
【００１２】  図１は、本開示の一実施の形態に係る表示装置を前方（視聴者側）から見た外観を表したものである。この表示装置１は、テレビジョン装置、モニター装置などとして用いられるものであり、平板状の表示パネル２をスタンド３により支持した構成を有している。表示パネル２の上辺および下辺には、化粧部材４が被せられている。表示パネル２の左右端には、スピーカ５が配置されている。
【００１３】  本明細書において、表示パネル２の前方正面から見て横方向（左右方向）をＸ方向、縦方向（上下方向）をＹ方向、Ｘ方向およびＹ方向に直交する方向（前後方向、または奥行き方向）をＺ方向とする。
【００１４】  表示パネル２の前面には、画像が表示される表示領域２Ａと、その周囲の額縁領域２Ｂ（図１において網かけを施した矩形枠状の領域）とが設けられている。スピーカ５は、額縁領域２Ｂに配置されている。また、この表示パネル２は、表示領域２Ａおよび額縁領域２Ｂに共通のカバーフィルム１０が最前面に設けられていることにより、表示領域２Ａと額縁領域２Ｂとが連続した一体の画面をなす、いわゆるモノリシックデザインを有している。このようなモノリシックデザインでは、表示領域２Ａが外枠（ベゼル）によって物理的に区画されていないので、表示領域２Ａに表示される画像があたかも空間に漂うような浮遊感を生み出すことが可能となる。カバーフィルム１０の詳しい構成は後述する。
【００１５】  図２は、図１に示した表示パネル２の左上の角からカバーフィルム１０の一部を剥がして内部構成を表したものである。カバーフィルム１０の内側には、表示セル２０が設けられている。表示セル２０の周囲には、周囲部材３０が配置されている。
【００１６】  カバーフィルム１０は、例えば図３に示したように、前方（視聴者側）から順に、表面層１１、第１接着層１２、主層１３、第２接着層１４を有している。
【００１７】  表面層１１は、例えばＴＡＣフィルムにより構成されている。また、表面層１１には、反射防止コート層（図示せず）が設けられていてもよい。表面層１１のうち額縁領域２Ｂに対応する領域は、黒色ないし濃色の印刷処理が施され、内部の構成部材が外部から視認されないよう遮蔽されていてもよい。なお、表面層１１のうち表示領域２Ａに対応する領域は透明である。第１接着層１２は、表面層１１と主層１３とを接着するものであり、ＯＣＡ（光学糊）により構成されている。主層１３は、例えば、ＣＯＣ（環状オレフィンコポリマー）により構成されている。第２接着層１４は、カバーフィルム１０と表示セル２０とを接着するものであり、ＯＣＡ（光学糊）により構成されている。
【００１８】  表示セル２０は、例えば同じく図３に示したように、前方（視聴者側）から順に、偏光板２１，対向基板２２，駆動基板２３，および偏光板２４を有している。駆動基板２３は、例えば、ガラス基板上に、ＴＦＴ（Thin Film Transistor）や容量などを含む画素駆動回路、周辺回路、画素電極および配向膜など（いずれも図示せず）を有している。対向基板２２は、例えば、ガラス基板上に、対向電極、カラーフィルタ、ブラックマトリクスおよび配向膜など（いずれも図示せず）を有している。対向基板２２と駆動基板２３との間には液晶層（図示せず）が設けられている。
【００１９】  カバーフィルム１０は、図３の矢印Ａ１に示したように、カバーフィルム１０の第２接着層１４により、表示セル２０の偏光板２１に貼り合わせられている。
【００２０】  図２に示した周囲部材３０は、表示セル２０と並べてカバーフィルム１０を貼り付けることにより表示パネル２の前面に平面を形成するための部材である。周囲部材３０を設けることにより、額縁領域２Ｂにおいてカバーフィルム１０の強度を補い、カバーフィルム１０の形状保持性を高め、表示パネル２の外観を整えることが可能となる。このような周囲部材３０は、例えば金属部材により構成されていることが好ましい。金属部材を用いることにより、ガラスに比べて軽量化や低コスト化が可能となる。なお、周囲部材３０の材料は特に限定されず、金属のほか、プラスチック、ガラスでもよい。プラスチックとしては、ＣＯＰ（シクロオレフィンポリマー）、ＣＯＣ（環状オレフィンコポリマー）などの光学用途の樹脂が挙げられる。あるいは、周囲部材３０は、液晶などの表示セルにより構成されていてもよい。この場合には、表示領域２Ａだけでなく額縁領域２Ｂにおいても表示を行うことが可能である。
【００２１】  周囲部材３０は、例えば図４に示したように、二本の縦部材３０Ａと、二本の横部材３０Ｂとを有している。縦部材３０Ａは、表示セル２０の左右辺に沿って上端から下端まで設けられている。横部材３０Ｂは、縦部材３０Ａの間に表示セル２０の上下辺に沿って設けられている。縦部材３０Ａと横部材３０Ｂとは、表示セル２０を囲む矩形枠状に配置されている。縦部材３０Ａは、側面３０Ｃを有している。この側面３０Ｃは、表示パネル２の左右辺をカバーフィルム１０で巻装するためのガイド面となるものであり、例えば湾曲面となっている。側面３０Ｃの湾曲形状や曲率は特に限定されない。また、図４には、側面３０Ｃが湾曲している場合を表しているが、後述するように、側面３０Ｃは湾曲面でなくてもよい。横部材３０Ｂは、例えば、帯状の板部材である。
【００２２】  図５は、図１に示した表示パネル２のＶ−Ｖ線における断面構成、すなわち表示セル２０と縦部材３０Ａとの境目Ｍ近傍における断面構成を表したものである。カバーフィルム１０は、表示セル２０および周囲部材３０（縦部材３０Ａ）の前方側に貼り合わせられている。表示セル２０および周囲部材３０（縦部材３０Ａ）の後方側には、中継部材４０が設けられている。中継部材４０は、表示セル２０と周囲部材３０（縦部材３０Ａ）との境目Ｍに対向して設けられている。表示セル２０および周囲部材３０（縦部材３０Ａ）と中継部材４０との間には、接着層５０が設けられている。これにより、この表示装置１では、表示セル２０の前面にカバーフィルム１０を貼り付けた場合に、表示セル２０と周囲部材３０（縦部材３０Ａ）との境目Ｍに生じる段差などの異形を低減することが可能となっている。
【００２３】  中継部材４０および接着層５０は、表示セル２０と周囲部材３０とを締結し、表示パネル２の前面の平面性を高めるものである。また、中継部材４０および接着層５０は、表示セル２０のもつ線膨張係数と周囲部材３０のもつ線膨張係数との差を吸収し、表示セル２０にかかるストレスを軽減し、表示むらなどの画質への影響を軽減する緩衝機能も有していることが好ましい。
【００２４】  そのためには、中継部材４０は、表示セル２０（主にガラスよりなる）に近い線膨張係数を有する材料、具体的には、ガラス、カーボンおよびグラスファイバーからなる群のうちの少なくとも１種により構成されていることが好ましい。このようにすることにより、表示セル２０と周囲部材３０との膨張・収縮の差に起因するストレスが表示セル２０に伝達されるのを抑え、表示セル２０にかかるストレスを軽減することが可能となる。
【００２５】  あるいは、中継部材４０は、表示セル２０または周囲部材３０の膨張・収縮の差を吸収可能な構造を有するものも好ましい。このような中継部材４０としては、具体的には、ハニカム構造など、空洞を有し伸縮可能な構造をもつものが好ましい。
【００２６】  接着層５０は、例えば、紫外線硬化樹脂（ＵＶ樹脂）により構成されていることが好ましい。また、接着層５０は、弾性材料により構成されていることが好ましい。これにより、カバーフィルム１０の膨張・収縮に追随して接着層５０を変形させ、カバーフィルム１０の膨張・収縮を吸収することが可能となる。また、表示セル２０と周囲部材３０との膨張・収縮の差を接着層５０の弾性変形により吸収することも可能となる。
【００２７】  接着層５０は、表示セル２０の側面と、周囲部材３０の側面と、カバーフィルム１０とで三方を囲まれた凹部Ｒを埋め込んでいることが好ましい。このようにすることにより、表示セル２０と周囲部材３０との境目Ｍにおいてカバーフィルム１０に段差、皺などの異形が生じるのを、より確実に抑えることが可能となる。
【００２８】  なお、中継部材４０の後方には、後部筺体６０およびバックライトユニット７０が設けられている。後部筺体６０は、例えば、バックライトユニット７０を収容するバックシャーシ６１およびバックシャーシ６１の後面を被覆するリアカバー６２を有している。バックシャーシ６１は、アルミニウム（Ａｌ）などの金属板により構成され、中継部材４０の後面に接着層（図示せず）により固定された取付部材６３に係止されると共に、バックライトユニット７０の後面にねじ６４により固定されている。取付部材６３とバックライトユニット７０との間にはクッション６５が配置されている。リアカバー６２は樹脂または金属板により構成されている。
【００２９】  図６は、図１に示したカバーフィルム１０の構成を表したものである。カバーフィルム１０は、表示セル２０および周囲部材３０（縦部材３０Ａおよび横部材３０Ｂ）に貼り合わせられる前面貼付部１０Ａと、前面貼付部１０Ａの外側の延長部１０Ｂとを有している。延長部１０Ｂは、図５に示したように、周囲部材３０（縦部材３０Ａの側面３０Ｃ）を経て表示セル２０の後方側に延在していることが好ましい。これにより、表示パネル２の左右辺をカバーフィルム１０で巻装し、滑らかな曲面形状や、つるりとした光沢のある外観など、ガラスなどの剛性の高い材料に比べてデザイン的な発展性をもたせることが可能となる。また、左右の化粧部材４をなくすことができ、上述したモノリシックデザインによって生み出される映像の浮遊感を更に高めることが可能となる。
【００３０】  具体的には、カバーフィルム１０の延長部１０Ｂは、縦部材３０Ａの湾曲した側面３０Ｃをガイド面として表示セル２０の後方側に導かれ、後部筺体６０の後面に結合されている。
【００３１】  延長部１０Ｂは、可動結合部８０により後部筐体６０に対して相対移動可能に連結されていることが好ましい。これにより、カバーフィルム１０の膨張・収縮に追随して延長部１０Ｂが変位可能となる。よって、カバーフィルム１０が膨張・収縮を繰り返すうちに、表示パネル２０と周囲部材３０との境目Ｍに皺などが生じて表示パネル２の外観が損なわれるのを抑えることが可能となる。
【００３２】  このような可動結合部８０の具体例としては、例えば図５に示したように、延長部１０Ｂおよび後部筐体６０を連結するねじ８１と、このねじ８１を、延長部１０Ｂを表示セル２０の後方側に引張る方向（矢印Ａ２方向）に付勢するばね８２とを有していることが好ましい。これにより、カバーフィルム１０の延長部１０Ｂにテンションをかけて、表示セル２０の後方側に引っ張ることが可能となる。従って、表示セル２０と周囲部材３０との境目Ｍにおいてカバーフィルム１０が膨張・収縮を繰り返すうちに皺などの異形が生じるのを、確実に抑えることが可能となる。
【００３３】  なお、ねじ８１は、例えば、延長部１０Ｂの端部に取り付けられた帯状部材８３と、後部筺体６０のリアカバー６２との間に設けられ、リアカバー６２に螺合されている。ばね８２は、例えば、ねじ８１の頭部と帯状部材８３との間に設けられている。なお、ねじ８１は、帯状部材８３と、バックシャーシ６１の後面に設けられた取付部（図示せず）との間に設けられ、この取付部に螺合されているようにしてもよい。また、可動結合部８０は、ねじ８１およびばね８２からなる構成に限らず、延長部１０Ｂにテンションをかけることが可能な構成であれば他の構成を有していてもよい。
【００３４】  図７は、図１に示した表示パネル２のＶＩＩ−ＶＩＩ線における断面構成、すなわち表示セル２０と横部材３０Ｂとの境目Ｍ近傍における断面構成を表したものである。この部分の断面構成は、横部材３０Ｂが側面３０Ｃを有していないこと、カバーフィルム１０の延長部１０Ｂおよび可動結合部８０が設けられていないことを除いては、図５を参照して説明した表示セル２０と周囲部材３０（縦部材３０Ａ）との境目Ｍ近傍の断面構成と同様である。
【００３５】  図８は、バックライトユニット７０の構成を表したものである。バックライトユニット７０は、例えば、前面側（視聴者側）から順に、光学シート７１，反射部材７２，導光板７３および光源７４，反射シート７５，ヒートスプレッダー７６を有している。このバックライトユニット７０は、例えば、表示セル２０の下辺に沿って光源７４が配置されているエッジライト型であるが、光源７４の位置は特に限定されない。また、バックライトユニット７０はエッジライト型に限らず、他の構成を有していてもよい。
【００３６】  光学シート７１は、拡散シートや輝度向上フィルムなどを含んでいる。反射部材７２は、光学シート７１等を保持するための枠状の部材（いわゆるミドルシャーシ）であり、白色ポリカーボネートなど反射率の高い樹脂により構成されている。導光板７３は、例えばアクリル（ＰＭＭＡ）により構成されている。光源７４は、例えばＬＥＤ（Light Emitting Diode）などの発光素子により構成されている。反射シート７５は、光源７４からの光を表示セル２０側へ反射させるものであり、白色樹脂板などにより構成されている。ヒートスプレッダー７６は、例えばアルミニウム（Ａｌ）により構成されている。
【００３７】  この表示装置１は、例えば次のようにして組み立てることができる。まず、後部筺体６０にバックライトユニット７０および表示セル２０を収容し、表示セル２０の周囲に周囲部材３０を配置する。表示セル２０および周囲部材３０にカバーフィルム１０の前面貼付部１０Ａを貼り合わせ、延長部１０Ｂを周囲部材３０に沿って表示セル２０の後方側へ回し、延長部１０Ｂの端部を、可動結合部８０を用いて後部筺体６０に取り付ける。このようにして表示パネル２が形成される。設置面にスタンド３を載置し、スタンド３に表示パネル２を載せて、ねじ（図示せず）等により固定する。
【００３８】  この表示装置１では、表示セル２０の後方に、表示セル２０と周囲部材３０との境目Ｍに対向して中継部材４０が設けられ、この中継部材４０と表示セル２０および周囲部材３０との間に接着層５０が設けられている。よって、表示セル２０と周囲部材３０とが、中継部材４０および接着層５０により締結され、表示セル２０と周囲部材３０との境目Ｍに生じる段差などの異形が低減される。また、表示セル２０と周囲部材３０との膨張・収縮の差が、中継部材４０および接着層５０により緩和され、表示セル２０にかかるストレスが小さくなり、表示むらなどの画質への影響が抑えられる。
【００３９】  このように本実施の形態では、表示セル２０の後方に、表示セル２０と周囲部材３０との境目Ｍに対向して中継部材４０を設け、この中継部材４０と表示セル２０および周囲部材３０との間に接着層５０を設けるようにしている。よって、表示セル２０と周囲部材３０との境目に生じる段差などの異形を低減することが可能となる。
【００４０】（変形例１，２）  なお、上記実施の形態では、周囲部材３０の側面３０Ｃが湾曲面である場合について説明した。しかしながら、周囲部材３０の側面３０Ｃは湾曲面に限られず、他の形状を有していてもよく、例えば図９に示したように、角に丸みをもたせた矩形の三辺をなす形状を有していてもよい。あるいは、図１０に示したように、周囲部材３０の側面３０Ｃは、三角形の二辺をなす形状を有していてもよい。
【００４１】（変形例３）  また、上記実施の形態では、カバーフィルム１０の延長部１０Ｂが表示パネル２の左右辺に巻装されている場合について説明した。しかしながら、カバーフィルム１０は、図１１に示したように、表示パネル２の左右辺および上辺の三辺を被覆していることも可能である。この場合には、カバーフィルム１０は、図１２に示したように、三辺に延長部１０Ｂを有している。延長部１０Ｂは、前面貼付部１０Ａの上および左右の側縁からそれぞれ外方へ突出している。延長部１０Ｂの外側の左右両端部または上端部には斜め４５°に傾斜された傾斜縁１０Ｃが設けられている。
【００４２】  カバーフィルム１０が貼り付けられた状態では、図１３に示したように、周囲部材３０の角部３０Ｄにおいて、後部筺体６０の後面側で隣り合う延長部１０Ｂの傾斜縁１０Ｃが隣接または接した状態となる。
【００４３】（変形例４）  あるいは、カバーフィルム１０は、図１４に示したように、表示パネル２の上辺のみに巻装されていてもよい。この場合には、表示パネル２の左右辺に化粧部材４Ａを設けることが可能である。
【００４４】（変形例５）  図１５は、変形例５に係るカバーフィルム１０の構成を表したものである。本変形例は、変形例３のカバーフィルム１０において、延長部１０Ｂのそれぞれに目隠し部１０Ｄを設け、この目隠し部１０Ｄにより、隣り合う延長部１０Ｂの側縁の隙間に露出する周囲部材３０の角部３０Ｄ（図１３参照。）を被覆するようにしたものである。目隠し部１０Ｄは、隣接する延長部１０Ｂの側縁に沿うように突出して設けられている。目隠し部１０Ｄの幅は、周囲部材３０の側面３０Ｃの幅と同じ、または略同じとすることが可能である。
【００４５】  図１６ないし図１８は、このようなカバーフィルム１０の貼り付け方法を工程順に表したものである。まず、図１６に示したように、周囲部材３０の角部３０Ｄを挟んで隣り合う二つの延長部１０Ｂのうち一方が折り曲げられて、周囲部材３０の側面３０Ｃに貼り付けられる。また、目隠し部１０Ｄが周囲部材３０の角部３０Ｄに貼り付けられる。
【００４６】  次いで、図１７に示したように、周囲部材３０の角部３０Ｄを挟んで隣接する他方の延長部１０Ｂが折り曲げられて、周囲部材３０の側面３０Ｃに貼り付けられる。このとき、二番目に折り曲げられた延長部１０Ｂの一部は、既に角部３０Ｄに貼り付けられた目隠し部１０Ｄに重ねて貼り付けられる。
【００４７】  このようにして全ての延長部１０Ｂが折り曲げられたのち、図１８に示したように、延長部１０Ｂが後部筺体６０の後面に貼り付けられる。
【００４８】  本変形例では、延長部１０Ｂのそれぞれに目隠し部１０Ｄを設け、この目隠し部１０Ｄにより周囲部材３０の角部３０Ｄを被覆するようにしたので、周囲部材３０の角部３０Ｄの露出を回避し、表示装置１のデザイン性の向上を図ることが可能となる。
【００４９】（変形例６）  図１９は、変形例６に係る表示装置を前方から見た外観を表したものである。この表示装置１Ｃは、表示セル２０が後方に向かって凸になるように円弧状に湾曲しているものである。このようにすることにより、表示セル２０を前方正面から見たときの形状において、図２０に示したように、中央部が左右部よりもゆるやかに細くなる。よって、遠近法の視覚効果により一体感・没入感を生み出すことが可能となる。このことを除いては、表示装置１Ｃは、上記実施の形態の表示装置１と同様の構成、作用および効果を有する。
【００５０】（適用例）  続いて、図２１ないし図２３を参照して、上記実施の形態に係る表示装置の適用例について説明する。上記実施の形態の表示装置は、テレビジョン装置のほか、デスクトップ型、ノート型、タブレット型などのコンピュータやゲーム機のモニター装置、デジタルサイネージ、携帯電話、スマートフォン、電子書籍リーダー、携帯音楽プレーヤ等の携帯端末装置など、広い分野の電子機器に適用することが可能である。
【００５１】（適用例１）  図２１は、上記実施の形態の表示装置により構成されたタブレット型コンピュータ１１０の外観を表したものである。タブレット型コンピュータ１１０は、上記実施の形態の表示パネル２により構成され、表示領域２Ａがタッチパネル部１１１となっている。額縁領域２Ｂには、照度センサ１１２およびフロントカメラ１１３が設けられている。側面にはスピーカ５、電源キー、マイク、各種の操作ボタン（いずれも図示せず）が配置されている。裏面にはメインカメラ（図示せず）が設けられている。
【００５２】  このタブレット型コンピュータ１１０は、図２２に示したように四辺に延長部１０Ｂを有するカバーフィルム１０を有しており、表示パネル２の四辺にカバーフィルム１０の延長部１０Ｂが巻装されている。なお、タブレット型コンピュータ１１０は、上記実施の形態と同様に左右辺または上下辺のみにカバーフィルム１０の延長部１０Ｂが巻装された構成とすることも可能である。
【００５３】（適用例２）  図２３は、上記実施の形態の表示装置により構成されたスマートフォン１２０の外観を表したものである。スマートフォン１２０は、上記実施の形態の表示パネル２により構成され、表示領域２Ａがタッチパネル部１２１となっている。額縁領域２Ｂには、下方に操作ボタン１２２、上方に受話口１２３および近接センサ、照度センサ等のセンサ類１２４が設けられている。側面には電源ボタン１２４が設けられている。裏面にはカメラ（図示せず）が設けられている。
【００５４】  このスマートフォン１２０は、適用例１と同様に、図２２に示したように四辺に延長部１０Ｂを有するカバーフィルム１０を有しており、表示パネル２の四辺にカバーフィルム１０の延長部１０Ｂが巻装されている。なお、スマートフォン１２０は、上記実施の形態と同様に左右辺または上下辺のみにカバーフィルム１０の延長部１０Ｂが巻装された構成とすることも可能である。
【００５５】  以上、実施の形態を挙げて本技術を説明したが、本技術は上記実施の形態に限定されるものではなく、種々変形が可能である。例えば、カバーフィルム１０は、周囲部材３０の側面３０Ｃに直接貼ることも可能であるが、両者の間に補助フィルムを介在させるようにすることも可能である。また、カバーフィルム１０の上に更に別の光学機能フィルムなどを貼ることも可能である。
【００５６】  また、例えば、上記実施の形態では、表示装置１の構成を具体的に挙げて説明したが、表示装置１は、図示した構成要素を全て備えるものに限定されるものではない。また、一部の構成要素を他の構成要素に置換することもできる。
【００５７】  更に、上記実施の形態において説明したカバーフィルム１０の積層構造、形状、寸法、材料等は限定されるものではなく、他の積層構造、形状、寸法または材料としてもよい。
【００５８】  加えて、表示セル２０は、液晶セルのほか、有機ＥＬ（Electroluminescence ）セル、電気泳動型表示セル、無機ＥＬセル、またはエレクトロデポジション型もしくエレクトロクロミック型の表示セルなどの他の表示セルでもよい。
【００５９】  なお、本明細書に記載された効果はあくまで例示であって限定されるものではなく、また他の効果があってもよい。
【００６０】  本技術は以下のような構成を取ることも可能である。（１）  表示セルと、  前記表示セルの周囲に設けられた周囲部材と、  前記表示セルおよび前記周囲部材の前方側に設けられたカバーフィルムと、  前記表示セルおよび前記周囲部材の後方側に、前記表示セルと前記周囲部材との境目に対向して設けられた中継部材と、  前記表示セルおよび前記周囲部材と前記中継部材との間に設けられた接着層と  を備えた表示装置。（２）  前記中継部材は、ガラス、カーボンおよびグラスファイバーからなる群のうちの少なくとも１種により構成されている  前記（１）記載の表示装置。（３）  前記接着層は、弾性材料により構成されている  前記（１）または（２）記載の表示装置。（４）  前記中継部材は、前記表示セルと前記周囲部材との膨張・収縮の差を吸収可能な構造を有する  前記（１）ないし（３）のいずれかに記載の表示装置。（５）  前記接着層は、前記表示セルの側面と、前記周囲部材の側面と、前記カバーフィルムとで三方を囲まれた凹部を埋め込んでいる  前記（１）ないし（４）のいずれかに記載の表示装置。（６）  前記カバーフィルムは、前記表示セルおよび前記周囲部材に貼り合わせられた前面貼付部と、前記前面貼付部の外側の延長部とを有し、前記延長部は、前記周囲部材に沿って前記表示セルの後方側に延在している  前記（１）ないし（５）のいずれかに記載の表示装置。（７）  前記表示セルおよび前記周囲部材の後方側に設けられた後部筐体と、  前記延長部を前記後部筐体に対して相対移動可能に連結する可動結合部と  を備えた前記（６）記載の表示装置。（８）  前記可動結合部は、  前記延長部および前記後部筐体を連結するねじと、  前記ねじを、前記延長部を前記表示セルの後方側に引張る方向に付勢するばねと  を有する前記（７）記載の表示装置。（９）  前記表示セルは、後方に向かって凸になるように円弧状に湾曲している  前記（１）ないし（８）のいずれか１項に記載の表示装置。
【００６１】  本出願は、日本国特許庁において２０１３年１２月２４日に出願された日本特許出願番号２０１３−２６４８９５号を基礎として優先権を主張するものであり、この出願のすべての内容を参照によって本出願に援用する。
【００６２】  当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。 
【図１】
2015098565.tif 000003
【図２】
2015098565.tif 000004
【図３】
2015098565.tif 000005
【図４】
2015098565.tif 000006
【図５】
2015098565.tif 000007
【図６】
2015098565.tif 000008
【図７】
2015098565.tif 000009
【図８】
2015098565.tif 000010
【図９】
2015098565.tif 000011
【図１０】
2015098565.tif 000012
【図１１】
2015098565.tif 000013
【図１２】
2015098565.tif 000014
【図１３】
2015098565.tif 000015
【図１４】
2015098565.tif 000016
【図１５】
2015098565.tif 000017
【図１６】
2015098565.tif 000018
【図１７】
2015098565.tif 000019
【図１８】
2015098565.tif 000020
【図１９】
2015098565.tif 000021
【図２０】
2015098565.tif 000022
【図２１】
2015098565.tif 000023
【図２２】
2015098565.tif 000024
【図２３】
2015098565.tif 000025
【国際調査報告】
2015098565.tif 000026
2015098565.tif 000027
2015098565.tif 000028
2015098565.tif 000029